(57)【要約】【課題】層間で生じるクロストークの影響を生じにくい３層以上の記録層を有する情報記録媒体を高い生産性を維持して製造可能とする。【解決手段】この発明は、第１の記録層１０１（Ｌ０）と、第１の記録層に対して第１の厚さの中間層１０６を介して配置された第２の記録層１０２（Ｌ１）と、第２の記録層に対して第１の厚さの中間層とは異なる第２の厚さであってその厚さが第１の中間層の厚さに対して所定の大きさに設定されている第２の中間層１０８を介して配置された第３の記録層１０３（Ｌ２）と、第１の記録層を支持する第１の基板１０４と、第３の記録層を支持する第２の基板１１０と、を有する情報記録媒体である。【選択図】  図１
2007080303.tif 000002
【特許請求の範囲】
【請求項１】
第１の記録層と、
この第１の記録層に対して第１の厚さの中間層を介して配置された第２の記録層と、
この第２の記録層に対して第１の厚さの中間層とは異なる第２の厚さの中間層であってその厚さが前記第１の中間層の厚さに対して所定の大きさに設定されている第２の中間層を介して配置された第３の記録層と、
前記第１の記録層を支持する第１の基板と、
前記第３の記録層を支持する第２の基板と、
を有することを特徴とする情報記録媒体。
【請求項２】
前記第１の中間層の厚さと前記第２の中間層の厚さとの差は、３μｍ以上５μｍ以下であることを特徴とする請求項１記載の情報記録媒体。
【請求項３】
前記第１の中間層の厚さと前記第２の中間層の厚さとの差の設計値は、前記それぞれの中間層の厚さの製造ばらつきの標準偏差をＳ（μｍ）とするとき、    
３．５×Ｓ＋１．２５μｍ    
であることを特徴とする請求項１記載の情報記録媒体。
【請求項４】
前記第１の中間層の厚さと前記第２の中間層の厚さとの差の設計値は、前記それぞれの中間層の厚さの製造ばらつきの標準偏差をＳ（μｍ）、信号再生系に用いる対物レンズの開口数をＮＡとするとき、    
３．５×Ｓ＋１．２５×（０．６５／ＮＡ）２（μｍ）    
であることを特徴とする請求項１記載の情報記録媒体。
【請求項５】
板状または円盤状であって、互いに対向する２つの面を有する第１の記録層と、
この第１の記録層の一方の面に積層される第１の厚さの第１の中間層と、
前記第１の記録層の他方の面に積層され、前記第１の厚さの中間層とは異なる第２の厚さの第２の中間層と、
前記第１の中間層に積層される第２の記録層と、
前記第２の中間層に積層される第３の記録層と、
前記第２の記録層に積層される第１の支持基板と、
前記第３の記録層に積層される第２の支持基板と、
を有し、
前記第1、第２、第３の記録層は前記第1の支持基板側より記録あるいは再生され、前記第１、第２、第３の記録層それぞれの前記第１の支持基板表面からの距離が６００±５５μｍの範囲にあり、前記第１の中間層の厚さと前記第２の中間層の厚さとの差の設計値は、前記それぞれの中間層の厚さの製造ばらつきの標準偏差をＳ（μｍ）とするとき、    
３．５×Ｓ＋１．２５μｍ    
であることを特徴とする情報記録媒体。
【請求項６】
波長が４００〜４１０ｎｍの光を、少なくとも３層の記録層を有し、それぞれの記録層の間に位置される中間層のうち隣接する中間層の厚さの差の設計値が、前記それぞれの中間層の厚さの製造ばらつきの標準偏差をＳ（μｍ）とするとき、    
３．５×Ｓ＋１．２５×（０．６５／ＮＡ）２（μｍ）    
で規定される中間層を有する記録媒体のいずれかの記録層に集光する開口数ＮＡの対物レンズと、
前記対物レンズにより捕捉された上記記録媒体のいずれかの記録層で反射された光を検出する光検出器と、
この光検出器により検出された上記記録媒体のいずれかの記録層で反射された光により上記記録媒体に記録されている情報を再生する信号処理回路と、
を有することを特徴とする光ディスク装置。
【請求項７】
前記対物レンズのＮＡは、ＮＡ＝０．６５であることを特徴とする請求項６記載の光ディスク装置。
【発明の詳細な説明】
【技術分野】
【０００１】
この発明は、２層以上の記録層を有する光ディスク（情報記録媒体）において、層間で生じるクロストークの影響を生じにくい構成およびその光ディスクから情報を再生する光ディスク装置（情報記録再生装置）に関する。
【背景技術】
【０００２】
情報記録媒体として用いられる光ディスクには、ＣＤ、ＤＶＤ−ＲＯＭに代表される再生専用型、ＣＤ−Ｒ、ＤＶＤ−Ｒに代表される１回追記型、ＤＶＤ−ＲＡＭに代表され、コンピュータの外付けメモリや録再ビデオ（映像記録）に利用される書き換え可能型等がある。
【０００３】
記録容量を増大するために、記録層を２層以上とした光ディスクが実用化されている。ところで、２層以上の記録層を有する光ディスクの個々の記録層に記録されている情報を再生する場合、層間のクロストークが生じることが知られている。また、記録層の数が３層よりも多い場合、隣接する記録層からのクロストークのほかに、さらに隣りの層（再生層から見て２層ずれている層）からのクロストークの影響も考慮しなければならない。
【０００４】
非特許文献１には、４層ＲＯＭディスクにおいて、隣接する中間層の厚さに差を設けた光ディスクが開示されている。
【非特許文献１】Jpn.J.Appl.Phys.,Vol.43,No.7B,pp,4983-4986(2004)
【発明の開示】
【発明が解決しようとする課題】
【０００５】
しかしながら、非特許文献１においては、隣接する中間層の厚さが同一である場合に、クロストークが増大すること、およびその対応として中間層の厚さに差を規定したことは示されているが、どの程度の差が必要であるかは、示されていない。もちろん、中間層の厚さの差が大きいほどクロストークは小さくなるが、トータルの中間層の厚さが、光ディスク装置が許容可能な球面収差の範囲を超える厚さに到達する問題がある。
【０００６】
また、実際に光ディスクを量産する場合には、中間層そのものの厚さのばらつき（個体誤差）に基づく中間層の厚さの差のばらつきを考慮することが要求される。
【０００７】
本発明の目的は、情報記録媒体から情報を再生する光ディスク装置（情報再生装置）による信号再生時に、層間で生じるクロストークの影響を生じにくい３層以上の記録層を有する光ディスク（情報記録媒体）を高い生産性を維持して製造可能とし、その光ディスクから情報を再生する光ディスク装置を提供することである。すなわち、本発明は、多層ディスクにおける隣接する中間層の厚さの差を、層間クロストークとディスク製造性の観点から適切に定めるものである。
【課題を解決するための手段】
【０００８】
この発明は、上記問題点に基づきなされたもので、第１の記録層と、この第１の記録層に対して第１の厚さの中間層を介して配置された第２の記録層と、この第２の記録層に対して第１の厚さの中間層とは異なる第２の厚さの中間層であってその厚さが前記第１の中間層の厚さに対して所定の大きさに設定されている第２の中間層を介して配置された第３の記録層と、前記第１の記録層を支持する第１の基板と、前記第３の記録層を支持する第２の基板と、を有することを特徴とする情報記録媒体、を提供するものである。
【発明の効果】
【０００９】
以上のように、本発明の光ディスクにおいては、３層以上の記録層が設けられた光ディスクから情報の再生に際して、クロストークにより再生信号の信号品質が劣化することが低減され、良好な再生特性が得られる。また、量産時に、光ディスクの個体誤差に基づいた設計により、歩留まりが向上するとともに、コストが低減できる。
【発明を実施するための最良の形態】
【００１０】
以下、図面を参照して、この発明の実施の形態について詳細に説明する。
【００１１】
図１は、本発明の実施の形態が適用される片面３層ディスクを模式的に示す。
【００１２】
本発明の光ディスク１００は、片面（同一の側）よりレーザ光を入射し、多層化された情報記録層（Ｌ０（１０１），Ｌ１（１０２），Ｌ２（１０３））にアクセス可能なことを特徴とする。その一例として図１に示した光ディスク１００は、片面３層のＨＤ  ＤＶＤ再生専用ディスクである。再生光は、例えば波長４０５ｎｍで、ＮＡ０．６５の光学系（対物レンズ１）を用いて各層（記録面）に照射される。
【００１３】
各情報記録層１０１〜１０３には、最短長０．２０４μｍのピットが、トラックピッチ０．４０μｍでスパイラル状に形成されている。ディスク１００の寸法は、外径が１２０ｍｍ、内径が１５ｍｍ、総厚１．２ｍｍ±０．０３ｍｍであり、既に広く利用されているＣＤ、ＤＶＤ（またはＨＤ  ＤＶＤ、ＢＤ）と、実質的に同じ寸法である。もちろん、光ディスクとしては、これらの形態に限られるわけではなく、４層以上の情報記録層が形成されていてもよく、追記型や記録再生型でもよく、ＤＶＤやＢＤなどの光学系を使用してもよく、より高密度または低密度のパターンでもよく、外径８０ｍｍの小径ディスクでもよい。
【００１４】
図１に示す光ディスク１００は、３つの情報記録層１０１（ＬＯ）、１０２（Ｌ１），１０３（Ｌ２）が順に積層された構造である。なお、各記録層の間には、第１および第２の中間層１０６，１０８が規定されている。また、Ｌ０層（１０１）とＬ２層（１０３）の外側には、それぞれ基材（成形基板）１０４，１１０が位置されている。
【００１５】
光ディスク１００は、記録層１０１（Ｌ０）のパターンと、そのパターンに所定の厚さに規定された反射膜１０５が設けられた基板１０４に、記録層１０３（Ｌ２）のパターンと、そのパターンに所定の厚さに規定された反射膜１０９が設けられた基板１１０を貼り付ける（積層する）際に、両基板１０４，１１０間に、記録層１０２（Ｌ１）層を、第１および第２の中間層１０６，１０８で挟み込むことで容易に形成される。なお、各記録層の積層順や製造順は、製造工程として成立する限り、特段の制約を受けるものではなく、例えば記録層１０２（Ｌ１）層を、第１および第２の中間層１０６，１０８で挟み込んだ中間基板（仮称、符号なし）の両面または一方の面に、記録層１０１（Ｌ０）および記録層１０３（Ｌ２）のそれぞれまたはいずれかを形成し、外側に成形基板１０４および１１０またはそのいずれかを積層することも可能である。また、各成形基板と中間層、または中間層と反射膜とは、接着、蒸着、基板材料を用いた自己溶着等のさまざまな手法あるいは貼り付け方法により形成される。
【００１６】
図１に示した光ディスク１００の各情報記録層１０１（ＬＯ）、１０２（Ｌ１），１０３（Ｌ２）からは、任意の層に記録されている情報が、選択的に再生可能である。
【００１７】
この際、再生信号を劣化させる要因のうち、多層ディスクに特有の要因として、    
１）情報記録層までの最適距離からのずれ、    
２）各層の間での層間クロストーク、    
が挙げられる。
【００１８】
１）の「情報記録層までの最適距離からのずれ」については、図５を用いて後段に概略を説明するが、本実施例のＨＤ  ＤＶＤの記録再生光学系１１は、厚さ０．６０ｍｍの成形板（第１基板１０４）越しに、任意の情報記録層から情報を再生するために、各要素が最適化されている。再生しようとする情報記録層までの距離が情報記録層までの最適距離（最適値）からずれると、主に球面収差（基板１０４および中間層の厚さの影響をレンズ系における収差の概念で評価すると、球面収差として取り扱うことが可能である）の影響により、再生用のレーザ光（レーザビーム）の品質が低下し、再生信号が劣化する。
【００１９】
許容される最適距離からのずれは、シュミレーションの結果より±３０μｍであることが確認されている。従って、図１に示した層構造の光ディスク１００においては、すべての層の位置（あるいは厚さとしてとらえることもできる）を０．６０ｍｍ±３０μｍ以内とする必要がある。なお、図５には示していないが、再生光学系を、球面収差補正のある系とすることで、許容される最適距離からのずれを、さらに±２５μｍ広げることが可能である。
【００２０】
よって、図１に示した多層光ディスクにおける各情報記録層は、入射面からの距離が、６００±５５μｍの範囲に入っている必要があり（球面収差補正ありの場合）、より理想的には６００±３０μｍの範囲に入ることが望ましい（球面収差補正なしの場合）。
【００２１】
このことは、任意の記録層が６００±３０μｍの範囲内に位置されているならば、再生光学系に特別な球面収差補正を施すことなく、所望の品質の再生信号を得ることができることを示す。逆に言えば、多層ディスクから情報を再生する系に、必ずしも球面収差補正が付加されているとは限らないため、光ディスク単体においては、ディスクの製造誤差を含め、最も離れた２つの記録層について、６００±３０μｍの範囲内に入っていることが必要である。
【００２２】
２）の「各層の間での層間クロストーク」については、第１に、中間層の厚さが大きい場合、層間クロストークの大きさを抑制できることは広く知られている。反面、中間層の厚さを含んで、その上限値は、上述の１）により制限される。
【００２３】
中間層の厚さの下限について確認するため、実際に光ディスクを作成して、再生信号の品質の確認したところ、次世代ディスク向けの露光機（ＥＢＲ：Erectron Beam RecorderやＰＴＭ：Phase Transfer Mastering等）を用いる場合には、１５μｍであり、現行の露光機（ＬＢＲ：Laser Beam Recorder）を用いる場合には、２３μｍであることが、実験の結果から、確認された。
【００２４】
ところで、３層以上の記録層を有する光ディスクにおいては、非特許文献１においても示唆されているが、隣接する中間層の厚さの差を考慮する必要がある。
【００２５】
例えば、図２（ｂ）は、片面３層ディスクにおいて、隣接する中間層厚さが等しい場合の例である。図２（ｂ）から明らかなように、第３情報層Ｌ２（１０３）に再生用レーザ光が合焦であるとき、レーザ光の一部が第２情報層Ｌ１（１０２）で反射し、第１情報層Ｌ０（１０１）でもう一度反射し、さらに第２情報層Ｌ１（１０２）で反射することで、本来の再生用レーザ光による再生光（Ｌ２層からの反射レーザ光）と同じ光路を通る反射レーザ光が生じることは容易に理解できる（再生を目的とする記録層からの反射レーザ光の一部が、非再生層であるＬ０（第１記録層１０１）に裏面から合焦する）。この場合、主信号であるＬ２からの再生信号に、Ｌ０からの（裏面からの）再生信号がクロストークとして重畳されることとなり、主信号の品質は著しく劣化することとなる。
【００２６】
これに対し、図２（ａ）のように、隣接する中間層の厚さが異なる場合、Ｌ２層に再生用レーザ光が合焦したときにＬ１層とＬ０層で多重反射したレーザ（クロストーク成分）光は、Ｌ２層からの反射レーザ光（再生信号のレーザ光）と「ずれた光路（所定距離だけ離れた部分）」を通る。すなわち、Ｌ１層とＬ０層で多重反射したレーザ光は、デフォーカスした状態で、信号検出系に案内されることとなる。この場合、主信号であるＬ２からの再生信号にクロストークが重畳されることは、図２（ｂ）に示した例と同様であるが、その信号強度、すなわち信号の劣化の度合いは、非常に低くなる。
【００２７】
この多重反射による層間クロストークは、上述のように、隣接する中間層の厚さに差があればあるほど良く、差が大きいほど層間クロストークが減少することになる。
【００２８】
従って、多重反射による層間クロストークの観点からは、隣接する中間層の厚さは、差が大きければ大きいほど良いが、上述の１）の理由により、その上限は制限されることとなる。
【００２９】
このような背景から、３層以上の記録層を有する光ディスク１００から情報を再生する際に、層間で生じるクロストークの影響を抑制するとともに、高い生産性を維持しながら光ディスクを製造可能とするためには、多層（３層以上）の記録層を有する光ディスクにおいて隣接する中間層の厚さの差を、層間クロストークとディスク製造性の観点から適切に定めることが好ましい。
【００３０】
この適切な中間層の厚さの差を定めるため、まず、どれくらいの差があれば層間クロストークがどの程度減少するかを、計算機シミュレーションにより算出した。
【００３１】
シミュレーションは、上述した多重反射したビームの再生信号の振幅がデフォーカスの量と共にどれくらい減少するかを計算することで見積った。
【００３２】
図３にその結果を示す。横軸がデフォーカス量、縦軸が規格化（１で正規化）した信号振幅である。縦軸は、デフォーカスがない場合、すなわち合焦した場合の信号振幅を１としている。
【００３３】
図３から読み取れるように、対物レンズ１（図１または図５参照）のＮＡ（開口数）が０．６５（曲線Ａ）、デフォーカス量が１．２５μｍで信号振幅（クロストーク量）が、極小となり、それ以上のデフォーカスでは大きく振幅が上昇することはない。すなわち、ＮＡが０．６５の場合、デフォーカス量、言い換えると、隣接する中間層の厚さの差が１．２５μｍ以上あれば、十分にクロストークが抑制できると言える。
【００３４】
反面、隣接する中間層の厚さの差を１．２５μｍとして光ディスクを製造（量産）する場合、中間層の厚さの（１枚の）ディスク面内のばらつきや製造時の個体誤差等の影響により、通常、製造された総ての光ディスクにおけるクロストークが最小となることを保証することはできない。このため、光ディスクの全面に渡って中間層厚さの差が、１．２５μｍ以上であるという条件を満たすためには、設計時においては、余裕分を見込む必要がある（もっと大きな中間層厚さの差を与える必要がある）。
【００３５】
この中間層の厚さの差の設計値をいくらにすれば良いかを、サンプル数を３万（施行３万回）の条件で、周知のモンテカルロ法によるシミュレーションより求めた結果を図４に示す。なお、図４に示したシミュレーションは、中間層の厚さのばらつきの分布を「正規分布」である、と仮定し、その標準偏差σを、０．５μｍ、０．７５μｍ、１．０μｍとして、隣接する中間層の厚さの差を、０．５μｍ刻みで２．５μｍ〜５．０μｍに設定したときに、中間層の厚さの差が１．２５μｍ以上となる条件をクリアする確率を纏めたものである。当然、中間層の厚さそのもののばらつきが少ない場合には、中間層の厚さの差を少なめに設計しても、条件をクリアする確率は高くなる。
【００３６】
図４から、クリアする確率が９９．３％以上であることを必要条件とすれば、標準偏差σ＝０．５μｍのときは、中間層の厚さの差を、３．０μｍに設計する必要がある。このとき、σ＝０．７５μｍであるならば、中間層厚さの差は、約４．０μｍ、σ＝１．０μｍであるならば、中間層厚さの差は、約５．０μｍとして設計する必要がある。
【００３７】
これらの結果から、ＮＡが０．６５の場合に、中間層の厚さのばらつき標準偏差をＳ（μｍ）、としたときの中間層の厚さ差の設計値ＤＤは、    
ＤＤ＝  ３．５  ×  Ｓ  ＋  １．２５  （μｍ）・・・（１）    
により、求めることができる。
【００３８】
図５は、図１ないし図４により説明した３層以上の記録層を有する多層光ディスクから情報を少なくとも再生できる光ディスク装置（情報記録再生装置）の一例を、示す。
【００３９】
図５に示されるように、光ディスク装置１１は、例えば４００ｎｍ〜４１０ｎｍの紫色の光ビームすなわちレーザ光を出力する半導体レーザ（光源）２０を有する。なお、レーザ光の波長は、好ましく４０５ｎｍである。
【００４０】
半導体レーザ光源２０からの出射光（光ビーム）１１１は、コリメートレンズ２１によりコリメートされ、周知の差動プッシュプル方式によりトラッキングエラー信号を得るために用いられる回折格子２２に案内される。
【００４１】
回折格子２２を通過した光ビームは、偏光ビームスプリッタ２３、λ／４板２４を透過し、対物レンズ１により、光ディスク１００の任意の記録層（記録面）Ｌ０（１０１），Ｌ１（１０２），Ｌ２（１０３）のいずれかに案内される。
【００４２】
光ディスク１００のいずれかの記録層に集光されたレーザ光１００は、その再生対象の記録層で反射され、反射レーザ光として対物レンズ１に戻され、λ／４板２４を透過して偏光ビームスプリッタ２３に戻される。
【００４３】
偏光ビームスプリッタ２３に戻された反射レーザ光は、偏光ビームスプリッタ２３の偏光面で反射された後、所定の回折パターンが与えられた検出器用回折光学素子２６に入射する。
【００４４】
回折光学素子２６を通過した反射レーザ光は、集光レンズ２７により与えられる集束性により規定される焦点距離に応じたビームスポットサイズの集束光として、光検出器２８の受光面に結像される。
【００４５】
光検出器２８の受光部は、通常複数に分割されており、それぞれの受光部から光強度に応じた電流を出力する。個々の受光部から出力された電流は、図示しないＩ／Ｖアンプにより電圧に変換された後、演算回路１２により、ＨＦ（再生）信号、フォーカス誤差信号およびトラック誤差信号等に利用可能に、演算処理される。なお、ＨＦ（再生）信号は、詳述しないが、所定の信号形式に変換され、もしくは所定のインタフェースを通じて、例えば一時記憶装置または外部記憶装置等に出力される。
【００４６】
演算回路１２により得られた信号はまた、サーボドライバ１３に供給され、対物レンズ１の焦点位置に所定のサイズで形成される光スポットを対物レンズ１と光ディスク１００の対応する記録層Ｌ０（１０１），Ｌ１（１０２），Ｌ２（１０３）のいずれかとの間の距離に一致するよう、対物レンズ１の位置を変化させるためのフォーカスエラー信号の生成に利用される。なお、フォーカスエラー信号は、対物レンズ１の位置を変位させるアクチュエータ２９を動作させるためのフォーカス制御信号を得るために利用され、フォーカスエラー信号に基づいて生成されたフォーカス制御信号が、アクチュエータ２９に供給される。これにより、アクチュエータ２９に保持された対物レンズ１は、光ディスク１００の再生対象の情報記録層１０１（Ｌ０）、１０２（Ｌ１）または１０３（Ｌ２）のいずれかに対して、接近／離脱する方向（図５における上下方向）、任意に移動される。
【００４７】
演算回路１２により得られた信号はまた、サーボドライバ１３に供給され、対物レンズ１の焦点位置に集光されたレーザ光のスポットが光ディスク１００の再生対象の記録層に記録されている記録マーク列もしくは予め形成されている案内溝すなわちトラックの概ね中心に案内されるよう、対物レンズ１の位置を変化させるためのトラッキングエラー信号の生成に利用される。なお、トラッキングエラー信号は、対物レンズ１の位置を変位させるアクチュエータ２９を動作させるためのトラッキングエラー信号を得るために利用され、トラッキングエラー信号に基づいて生成されたトラッキング信号が、アクチュエータ２９に供給される。従って、アクチュエータ２９に保持された対物レンズ１は、光ディスク１００の情報記録層のディスクラジアル方向すなわちトラックまたは記録マーク列と交差する方向に、任意に移動される。
【００４８】
すなわち、対物レンズ１は、サーボドライバ１３によって、光ディスク１００の任意の記録層１０１（Ｌ０）、１０２（Ｌ１）または１０３（Ｌ２）に形成されているトラックまたは記録マーク列に、対物レンズ１により集光された光スポットを、その焦点距離において、記録層に最小の光スポットを提供可能に、制御される。
【００４９】
なお、光学系のＮＡは、光ディスクドライブ（情報再生装置）側により支配されることから、ＮＡ＝０．５５およびＮＡ＝０．８５の場合についても考察する（図３参照）。
【００５０】
図３から明らかなように、ＮＡが高くなる（大きくなる）と、僅かなデフォーカス量でレーザ光が大きくぼける傾向になるためクロストーク信号振幅が極小となるデフォーカス量は小さくなる。結果から、ＮＡ＝０．８５の場合、デフォーカス量０．７５μｍ程度、ＮＡ＝０．５５の場合はデフォーカス量１．８μｍ程度で、クロストークを十分に抑制できると言える。なお、デフォーカスによる波面収差は、ＮＡの２乗に比例することは一般に知られており、この知識と図３の計算結果から、ＮＡとクロストークを抑制するために必要な隣接する中間層の厚さの差（＝デフォーカス量）Ｄは、    
Ｄ  ＝  １．２５  ×  （０．６５／ＮＡ）２  ・・・（２）    
により与えられる。
【００５１】
式（１）と式（２）より、中間層の厚さの設計値ＤＤとＮＡと中間層厚さのバラつきの標準偏差Ｓ（μｍ）の一般的な関係式として、    
ＤＤ  ＝  ３．５  ×  Ｓ  ＋  １．２５  ×  （０．６５／ＮＡ）２ 
・・・（３）    
が導き出せる。
【００５２】
従って、この関係を用いることにより、信号再生系（光ディスク装置）のＮＡと記録層が３層以上の光ディスクの中間層の厚さとの関係が規定できる。すなわち、光ディスクの中間層による多重反射が生じた場合であっても層間クロストークを抑制できる光ディスクを、量産可能である。
【００５３】
以上説明したように、本発明を用いることにより、記録層が３層以上の多層光ディスクを設計する際に、ディスクの製造性を考慮して、多重反射による層間クロストークを抑制した光ディスクを、効率よく製造することが可能となる。従って、光ディスクから情報を再生する光ディスク装置（情報再生装置）による信号再生時に、層間（中間層）で生じるクロストークの影響を生じにくい３層以上の記録層を有する光ディスク（情報記録媒体）を、高い生産性を維持しながら製造可能であり、歩留まりが向上されるとともにコストが低減される。
【００５４】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００５５】
【図１】本発明の実施の形態が適用される片面３層光ディスクを説明する概略図。
【図２】図１に示した３層以上の記録層を有する多層光ディスクにおいて生じる内部反射を説明する概略図。
【図３】図１に示した多層光ディスクから情報を再生する際の再生系の特性と光ディスクの中間層の厚さ（デフォーカス量）との関係を説明するグラフ。
【図４】図１に示した３層以上の記録層を有する多層光ディスクにおいて生じる内部反射の影響が再生系に及ぼす程度を低減可能な中間層の厚さとその厚さの差の関連を説明する概略図（特性分析図）。
【図５】図１ないし図４を用いて説明した３層以上の記録層を有する多層光ディスクから情報を再生するために利用される光ディスク装置（情報再生装置）の一例を示す概略図。
【符号の説明】
【００５６】
１…対物レンズ、１１…光ディスク装置（情報再生装置）、１２…信号処理回路、１００…光ディスク（情報記録媒体）、１０１（Ｌ０）…第１の記録層、１０２（Ｌ１）…第２の記録層、１０３（Ｌ２）…第３の記録層、１０４，１１０…基板（支持基板）、１０６，１０８…中間層。
【図１】
2007080303.tif 000003
【図２】
2007080303.tif 000004
【図３】
2007080303.tif 000005
【図４】
2007080303.tif 000006
【図５】
2007080303.tif 000007